(57)【要約】【課題】径が異なる断面積の複数の多角レンチを備え且つこの複数の多角レンチの中から所望のものを選択できるようにした多角レンチ装置において、各多角レンチの強度を保持できるようなすること。【解決手段】径が異なる断面積の複数の多角レンチをドラム体に放射状に延出するように取り付ける。【選択図】      図１
2004345072.tif 000002
【特許請求の範囲】
【請求項１】
一端部が把持部となる操作棒と、前記操作棒の他端部に一体回転可能に設けられた保持部と、前記操作棒の軸芯と直交する軸芯を持つように前記保持部材に回転可能に装架された回転軸と、前記回転軸上に固定されたドラム体と、前記ドラム体から放射状に延出し且つ径が異なる断面積の複数の多角レンチと、前記ドラム体及び前記回転軸を前記保持体に対して回動させて、前記複数の多角レンチのなかから所望のものを選択したあと前記ドラム体を前記保持体に固定する固定手段とを備える、多角レンチ装置。
【発明の詳細な説明】
【０００１】
【発明の属する技術分野】
本発明は、多角レンチ装置に関し、特に径が異なる断面積の複数の多角レンチを備え且つこの複数の多角レンチの中から所望のものを選択できるようにした多角レンチ装置に関する。
【０００２】
【従来の技術】
異なる大きさの径のボルトの締めつけ作業を１本の多段式多角レンチで行うことができる、従来の多角レンチ装置は、径が大小複数の相似形の多角レンチを、最も小さい径の多角レンチを最も突出させるように順次突出させ、最も大きい径の多角レンチが最外側となるように、前記各多角レンチをテレスコピック形式で摺動自在に、かつ常時各々の軸方向に圧縮バネで偏倚し、突出させるように収納して構成されている（例えば、特許文献１参照）。
【０００３】
【特許文献１】
特開平８−０３９４４３号公報  （第１〜５頁、図１〜９）
【０００４】
【発明が解決しようとする課題】
しかしながら、上記した各多角レンチはテレスコピック形式で摺動されるように構成されるので、最も内側に位置する多角レンチ（つまり最も小さい径の多角レンチ）以外は、中空体としてしか形成し得ない。しかして、多角レンチ装置の外殻寸法は、狭小な空間での作業を予定している関係上、大きくさせるわけにはいかないので、中空体として形成された多角レンチの板厚は薄くならざるを得ない。かような多角レンチは締め付けトルクが弱く、家電製品におけるボルトの締め付けに使用する場合は格別、一般機械におけるボルトの締め付けに使用することは事実上、不可能であった。
【０００５】
それ故に、本発明は、かような不具合が惹起されない多角レンチ装置を提供することを、その技術的課題とする。
【０００６】
【課題を解決するための手段】
上記した課題を解決するために講じた技術的手段は、「一端部が把持部となる操作棒と、前記操作棒の他端部に一体回転可能に設けられた保持部と、前記操作棒の軸芯と直交する軸芯を持つように前記保持部材に回転可能に装架された回転軸と、前記回転軸上に固定されたドラム体と、前記ドラム体から放射状に延出し且つ径が異なる断面積の複数の多角レンチと、前記ドラム体及び前記回転軸を前記保持体に対して回動させて、前記複数の多角レンチのなかから所望のものを選択したあと前記ドラム体を前記保持体に固定する固定手段とを備える、多角レンチ装置」を構成したことである。
【０００７】
【発明の実施の形態】
以下、添付図面に依拠して、本発明にかかる多角レンチ装置の一実施形態について説明する。
【０００８】
図１及び図２に示すように、多角レンチ装置１０は、操作棒１２を備える。しかして、操作棒１２の一方端部側は把持部１２Ａとして機能し、操作棒１２の他方端部には、保持体２０が固定される。すなわち、保持体２０は、全体が略Ｕ字型をなすように、基部２２並びに基部２２の両端部から延出する一対の腕部２４及び腕部２６から形成されており、基部２２が操作棒１２の他方端部と螺着されることにより、保持体２０が操作棒１２の他方端部に固定される。
【０００９】
回転軸３０の両端部が、夫々、保持体２０の一対の腕部２４及び腕部２６に、回転可能に支持される。回転軸３０の一端部に形成されたフランジ部３２は、腕部２６の外面と係合しており、回転軸３０の、腕２４方向への移動を規制する。回転軸３０の軸芯は、操作棒１２の軸芯と直交関係にある。
【００１０】
回転軸３０の他端部は、腕部２４の外側において、回転レバー４０とスプライン係合（図示略）しており、回転レバー４０は、回転軸３０と一体回転可能であると共に回転軸３０の他端部上を軸方向移動可能となる。すなわち、回転レバー４０は、図の実線表示位置と破線表示位置との間を移動可能となる。
【００１１】
回転軸３０には、腕部２４と腕部２６との間において、ドラム体５０がネジ（図示略）により、一体回転可能となるべく固着されている。ドラム体５０の外周には９０度間隔で４つの穴（図示略）が形成されており、この４つの穴には６角レンチ７０、７２、７４及び７６の基部が着脱自在に嵌着されている。６角レンチ７０、７２、７４及び７６の基部の径は全て同じであるが、基部以外は、６角レンチ７０、７２、７４及び７６の径は、異なる。
【００１２】
回転レバー４０を９０度、１８０度、２７０度及び３６０度回動すると、回転軸３０及びドラム体５０も、回転レバー４０の回動に追随すると共に、６角レンチ７０、７２、７４及び７６の軸芯が、操作棒１２の軸芯と同芯となるようになっている。
【００１３】
しかして、回転レバー４０には、腕部２４の遊端部近傍と対峙する位置に、突起４２が形成されており、この突起４２は、６角レンチ７０、７２、７４及び７６の軸芯が、操作棒１２の軸芯と同芯となるとき、回転レバー４０を破線位置から実線位置に移動すれば、腕部の外側に９０度ピッチで形成された４つのブラインドボア８０（１箇所のみ図示）内に挿入され、ドラム体５０の回転が規制される。つまり、操作棒１２の先端部に選択された６角レンチが同芯的に装着されることになり、右利きの作業者が、右手及び左手で、夫々、操作棒１２の把持部及び他端部を握って所定角度、軸芯廻りに回動すれば、図示されないボルトを締め付けることが出来る。しかして、６角レンチ７０、７２、７４及び７６は、その基部をドラム体５０に装着するだけなので、大部分を中空に形成するする必然性はない。つまり、６角レンチ７０、７２、７４及び７６は充分な肉厚を有することが出来て、充分に強度を保持でき、締め付けトルクを大きくすることが出来る。
【００１４】
以上、本発明の実施の形態について説明したが、本発明は上述した実施の形態に限定される意図はなく、本発明の趣旨に沿った形態の多角レンチ装置であれば、どのようなものでもよい。
【００１５】
【発明の効果】
請求項１の発明によれば、径が異なる断面積の複数の多角レンをドラム体から放射状に延出させるようにしているので、各多角レンチは充分な肉厚を有することが出来て、充分に強度を保持し、締め付けトルクを大きくすることが出来る。
【図面の簡単な説明】
【図１】本発明にかかる多角レンチ装置の一実施態様の平面図である。
【図２】ドラム体に多角レンチを装着した状態を示す図である。
【符号の説明】
１０・・・多角レンチ装置
１２・・・操作棒
２０・・・保持体
３０・・・回転軸
３２・・・不織布
４０・・・回転レバー
４２・・・ピン（固定手段）
５０・・・ドラム体
７０・・・６角レンチ
７２・・・６角レンチ
７４・・・６角レンチ
７６・・・６角レンチ
【図１】
2004345072.tif 000003
【図２】
2004345072.tif 000004